(57)【要約】【課題】固定子および軸受の支持剛性を向上させ、変位が少ない回転電機を提供すること。【解決手段】環状の固定子鉄心１およびこの固定子鉄心１の内周面に巻回された固定子巻線５から構成される固定子１９と、固定子１９内に配置され固定子に対して相対的に回転可能な回転子１４と、回転子１４を支持する軸受１５と、固定子１９を設置するための固定子設置板１８ａおよび前記軸受１４を設置するための軸受設置板１８ｅを有する土台枠１８とを備え、固定子設置板１８ａ上に固定子を設置し、軸受設置板上に軸受を設置した回転電機において、固定子の中心から土台枠の固定子設置板までの垂直方向の距離が、固定子の外周半径よりも小さくなるようにした。【選択図】図１
2011030304.tif 000002
【特許請求の範囲】
【請求項１】
環状の固定子鉄心およびこの固定子鉄心の内周面に巻回された固定子巻線から構成される固定子と、前記固定子内に配置され固定子に対して相対的に回転可能な回転子と、前記回転子を支持する軸受と、前記固定子を設置するための固定子設置板および前記軸受を設置するための軸受設置板を有する土台枠とを備え、前記固定子座に固定子を設置し、軸受座に軸受を設置した回転電機において、
前記固定子の中心から前記土台枠の固定子設置板までの垂直方向の距離が、固定子の外周半径よりも小さくなるようにしたことを特徴とする回転電機。
【請求項２】
前記土台枠で形成された内部空間部を前記固定子の下半部の一部を収納可能な形状とし、当該内部空間部を下からカバーによって覆うことを特徴とする請求項１に記載の回転電機。
【請求項３】
前記土台枠は、ほぼコ字形に形成されて両端部を互いに対向させるように配置されるとともに前記固定子座を設けた一対の固定子設置板と、基底板と、これら固定子設置板および基底板間を接合する縦板と、前記一対の固定子設置板の対向する両端部間に配置されるとともに当該固定子設置板の上面から所定の寸法だけ低い位置に設置されかつ前記軸受座を設けた一対の軸受設置板と、前記一対の固定子設置板、基底板および一対の軸受設置板で形成した枠体の内部空間部を下から覆うカバーと、前記固定子設置板および基底板間を接合するとともに、軸受設置板およびカバー間を接合する一対の側面板と、前記固定子設置板の両端部間および軸受設置板で形成した凹部を前記内部空間部側から閉塞する隔壁板、とから構成したことを特徴とする請求項１または請求項２に記載の回転電機。
【発明の詳細な説明】
【技術分野】
【０００１】
本発明は、発電機等の回転電機に係り、特に土台枠上に固定子および軸受を個別に設置するように構成した回転電機に関する。
【背景技術】
【０００２】
直流機、同期機あるいは誘導機などの回転電機は、固定子と回転子によって構成され、機能面では電磁誘導の原理を利用し電気エネルギーと機械エネルギー（回転エネルギー）の相互変換をおこなうもので、回転子を固定子の中心に正確に位置して回転させなければならない。
【０００３】
回転子を支持する軸受および固定子を正確に位置決めするために、回転電機の構成要素を土台枠と呼ぶ共通の土台上に設置する構成の回転電機がある。この構成の回転電機の場合、共通の土台上に軸受座と鉄心押さえ板とを個別に設置して、軸受および固定子の位置決めを行うようにしている（例えば、特許文献１参照）。
【０００４】
なお、特許文献１の構成の他にも、固定子および回転子の重量を支えられるように十分な剛性をもたせた箱状もしくは筒状の筐体内に固定子を収納するようにして、その筐体に軸受を設置するように構成した軸受ブラケット型の回転電機も存在するが、本発明の対象ではないため説明は省略する。
【０００５】
以下、図５を参照して特許文献１に記載された回転電機の構成図について説明する。  
図５は回転電機の中でも同期機の例を示す。１は固定子鉄心であり、環状に打ち抜かれた電磁鋼板を所定の厚みに積層し、その両端部を厚板で形成された鉄心押さえ板２で挟み、長ボルト３をナットで締め込むことによって電磁鋼板同士に圧縮力を加えて形状を保持するように構成している。しかも、この固定子鉄心１は、電磁鋼板の積層方向に適当な間隔で通風ダクト４を設けて放射方向の冷却空気の通り道を設けており、また、内周部には円周方向に沿って設けたスロットに固定子巻線５を巻装している。このようにして、固定子鉄心１、鉄心押さえ板２および固定子巻線５によって固定子６を構成している。
【０００６】
前記した固定子鉄心１の両端部に設けられた鉄心押さえ板２は、左右の下部に張り出した形状の取付け脚部７を一体的に設けており、この取付け脚部７の下面に固定された取付け座８を介して土台枠（台床、ベースともいう）９の上面に設けられた固定子座１０の上に設置されボルト・ナットで固定される。
【０００７】
一方、回転軸１１には回転子巻線１２を巻装した突極型磁極１３を継鉄によって取り付けて回転子１４を構成している。  
この回転軸１１の両端部は、内部に潤滑油を満した軸受１５によって回転自在に支持され、その軸受１５は角柱状の軸受台１６によって土台枠９の上面に設けられた軸受座１５ａの上に配置されボルト・ナットで固定される。
【０００８】
このように構成された回転電機は、回転子巻線１２に電流を流すことで回転磁界を形成し、その回転磁界が固定子巻線５と鎖交することによる電磁誘導により固定子巻線５に電圧を発生させることで、回転力を電力に変換する発電機となる。
【０００９】
また、外部から固定子６に電源が与えると固定子６に回転磁界を発生し、回転子１４に発生した回転磁界との電磁作用によって回転すれば外部に回転エネルギーを供給する電動機となる。回転電機が発電機として使用される場合には、回転軸１１にはエンジン、タービン、水車等の駆動源が接続され、また、回転電機が電動機として駆動源となる場合には回転軸１１にはポンプ、圧縮機、送風機等の被駆動機器が接続される。
【００１０】
また、回転子１４の両端の磁極１３に隣接した位置には放射状の羽根１７が取り付けられており、羽根１７の回転によって固定子６の内部へ冷却空気を送風して、回転子巻線１２および固定子巻線５、そのほか回転電機の構成部品を冷却するようになっている。そして、固定子６の内部へ送風された冷却空気は、通風ダクト４を通り固定子６の外側放射状に吐き出される。なお、図５には軸流方式の羽根１７を採用しているが、冷却空気を送風できるものであれば、遠心力式等の任意の形式の羽根を採用しても良い。
【００１１】
上述した図５の構成の回転電機においては、固定子６および軸受１５を土台枠９上面に設けた固定子座１０および軸受座１５ａに載せるように設置すれば回転電機として構成できるため、固定子６および回転子１４の設置作業や軸心を合致させる作業が容易であるという特徴がある。
【００１２】
また、特許文献２のように、固定子６を土台枠９上で平行に移動させて保守点検を容易におこなえるように構成することも可能であり、さらに、土台枠９が固定子６および回転子１４の重量を支えるように構成されているため、特許文献３のように、土台枠９上に設置された固定子６、回転子１４、軸受１５等の回転電機を構成する要素を覆うハウジングを設ける場合には、ハウジング自体には回転電機としての剛性や強度は必要とされないのでその設置は容易であるし、作業用穴を設けることで点検作業を容易にすることもできる。  
さらにまた、特許文献４のように、土台枠９上にハウジングを防音カバーとして設けて騒音を低減するように構成することも可能である。
【００１３】
このように、土台枠９上に固定子６および軸受１５をそれぞれ個々に設置するように構成した回転電機では、その構成上の特徴から、土台枠９上での作業が容易である、土台枠９上にハウジングや防音カバー等の構造物を設けることが容易である等の種々の利点を有している。
【先行技術文献】
【特許文献】
【００１４】
【特許文献１】特開２００７−１４３３０１、
【特許文献２】実願昭５５‐１７４２６９、
【特許文献３】実願昭５５‐１４１６９２、
【特許文献４】実公昭４０‐００２９１８、
【発明の概要】
【発明が解決しようとする課題】
【００１５】
しかしながら、図５の構成の回転電機を運転すると、固定子６および回転子１４に変位あるいは振動が発生する場合がある。  
図６および図７は、図５に示した回転電機をそれぞれ軸方向および側面からみた図を示す。ただし、課題を明確にするため固定子６の固定子巻線５および回転子１４の磁極１３等は省略し簡略化して表しているが、図５と同じ構成を対象としている。
【００１６】
図６および図７に示すとおり、土台枠９の上面に固定子６を設置する構成では、土台枠９の上面から固定子６および回転子１４の軸中心線０−０までの高さｈは、固定子６の外周半径ｒよりも若干高くなっている（ｈ＞ｒ）。すなわち、土台枠９の上面から固定子６の重心である軸中心線０−０までの距離ｈは、固定子６の外周半径ｒよりも大きく、離れた位置関係となっている。
【００１７】
また、軸受１５は回転子１４の軸中心０−０を、固定子６の軸中心０−０に合わせるために高い位置にする必要があり、そのため軸受１５を支える軸受台１６は高さ方向に長い角柱状に構成され、土台枠９の上面から回転子１４の軸中心までの距離ｈは固定子６の外周半径ｒよりも大きくなり、図６および図７の例では固定子座１０から固定子６の中心までの距離ｈと同じだけ離れている。
【００１８】
このように構成された回転電機を運転すると、回転子１４の発生する磁界により、固定子６と回転子１４には互いに引き寄せ合う力が発生する。また、回転子１４の重量の不釣合によって軸受１５を揺り動かす力が発生する。このような力が作用した場合の回転電機の状態を図８に示す。
【００１９】
図８は図６に示す回転電機を運転した状態を示し、図６と同様に簡略化している。回転子１３の磁極１２が発生する磁界によって、回転子１４と固定子６は引き寄せ合う。例えば回転子１４が左方向に吸引力Ｆを受け、逆に固定子６は右方向に吸引力Ｆを受ける。図８では吸引力Ｆの作用点をそれぞれ回転子および固定子の中心で代表している。
【００２０】
図８に示すように、吸引力Ｆが作用することで軸受台１６および鉄心押さえ板２が変形し変位を生じる。図８では軸受台１６が変形することによる回転子１４の軸中心の変位量をｘと表し、鉄心押さえ板２が変形することによる固定子６の軸中心の変位量をｙと表す。ただし、図８は説明のため実際に発生する変位を誇張して示している。
【００２１】
また、回転子１３に万一重量の不釣合いがある場合は、回転子１４の重心位置と実際の回転中心である回転軸１１の中心とが一致しないため、回転子１４が回転することにより軸受１５を揺動する力が発生し、磁界の吸引力Ｆと同様に変位を生じさせる。
【００２２】
この場合、重量の不釣合いによる力は、回転軸１１の中心が作用点で、力の向きは回転軸１１の中心から重心に向かうものとなり、回転軸１１の回転に合わせてその力の向きは回転するものとなる。重量の不釣合による力によって軸受台１６が変位し回転子１４の軸心がずれると、その変位した方向の固定子６と回転子１４は互いに接近する。互いの距離が縮まることにより、両者の問の磁界による吸引力Ｆが強くなるので軸受座や鉄心押さえ板２の変位はさらに大きくなる場合もある。
【００２３】
このような変位もしくは振動は、固定子６および回転子１４の支持剛性によって大きく変化する。従来の回転電機では、固定子６の重心位置および軸受１５と軸受台１６は、その固定部である土台枠９の上面から固定子６の外周半径ｒよりも大きく上方に離れたところにあるので、その支持剛性は弱く、この変位によって軸受台１６を変形させ、その根元部分に応力を発生させる。また、回転軸１１の変位は回転子１４と固定子６の間の磁界による吸引力によって固定子６にも伝わり、結果として鉄心押さえ板２の脚部７に応力を発生させることになる。したがって、磁界の吸引力や振動による変位が回転電機の構成要素に過大な応力を発生させ、回転電機の耐久性に問題が発生することがあった。または、許容応力に余裕を持たせるために回転電機が大きく重たくなる場合があった。
【００２４】
次に、回転電機が外力を受ける場合を考える。  
従来の回転電機の運転状態を側面から見た状態を図９に示す。回転電機は駆動源によって回転力を与えられ発電機として使用されたり、または、被駆動機器に回転力を与えるために電動機として使用されたりするが、その際に、回転軸に接続した機械からの影響を受ける。図９では回転軸１１の左端に駆動源または被駆動機器が接続されているものとする。
【００２５】
駆動源にはディーゼルエンジン、ガスエンジン、ガスタービン、水車、風車等の回転機械が考えられるが、回転力を伝えるものならその他のものでもよい。また、被駆動機器にはポンプ、圧縮機、送風機等の回転機械が考えられるが、回転力を受けて所定の仕事をするものであればその他のものでもよい。
【００２６】
これらの回転機械においては、回転軸１１に対して軸方向に押したり、あるいは引いたりする軸方向の力Ｆを発生するものがある。その軸方向の力Ｆによって回転軸１１を軸方向に揺さぶられることで、図９に示すように軸受１５は軸方向に変位する。この変位をｚと表している。
【００２７】
この場合でも、図５に示した回転電機では、固定子６の重心位置および軸受１５と軸受台１６はその固定部である土台枠９上から固定子６の外周半径ｒよりも上方に離れたところにあるので、その支持剛性は弱く、この変位によって軸受台１６を変形させ、軸受台１６の根元部分に応力を発生させる。また、回転軸１１の変位は回転子１４と固定子６の間の磁界による吸引力によって固定子６にも伝わり、結果として鉄心押さえ板２の脚部７に応力を発生させることになる。したがって、回転機械から受ける軸方向の力Ｆによっても固定子６および回転子１４に変位が生じる。回転電機の構成要素に過大な応力を発生させ、回転電機の耐久性に問題が発生することがあった。または、許容応力に余裕を持たせるために回転電機が大きく重たくなる場合があった。
【００２８】
本発明は上記の課題を解決するためになされたもので、固定子および軸受の支持剛性を向上させ、変位が少ない回転電機を提供することを目的とするものである。
【課題を解決するための手段】
【００２９】
上記の目的を達成するために、請求項１に係る発明は、環状の固定子鉄心およびこの固定子鉄心の内周面に巻回された固定子巻線から構成される固定子と、前記固定子内に配置され固定子に対して相対的に回転可能な回転子と、前記回転子を支持する軸受と、前記固定子を設置するための固定子設置板および前記軸受を設置するための軸受設置板を有する土台枠とを備え、前記固定子座に固定子を設置し、軸受座に軸受を設置した回転電機において、前記固定子の中心から前記土台枠の固定子設置板までの垂直方向の距離が、固定子の外周半径よりも小さくなるようにしたことを特徴とする。
【発明の効果】
【００３０】
本発明によれば、土台枠から固定子重心までの距離と、土台枠から軸受までの距離を短くして支持剛性を向上させるようにしたので、変位および振動が少ない回転電機を提供することができる。
【図面の簡単な説明】
【００３１】
【図１】本発明の実施形態における回転電機の設置状態を示す斜視図。
【図２】本発明の実施形態における回転電機の土台枠を示す斜視図。
【図３】本発明の実施形態における回転電機を回転軸方向から見た簡略図。
【図４】本発明の実施形態における回転電機を正面から見た簡略図。
【図５】従来の回転電機の設置状態を示す斜視図。
【図６】従来の回転電機を回転軸方向から見た簡略図。
【図７】従来の回転電機を正面から見た簡略図。
【図８】運転中の従来の回転電機を回転軸方向から見た簡略図。
【図９】運転中の従来の回転電機を正面から見た簡略図。
【発明を実施するための形態】
【００３２】
以下、本発明の実施形態について、図１乃至図４を参照して説明する。なお、図５乃至図９に示す従来の回転電機と同一部分には同一符号を付して重複する説明は適宜省略する。
【００３３】
回転電機は周知のように固定子と回転子から構成され、外部から回転エネルギーが与えられ、回転子側が直流で励磁されると、その磁力によって固定子側に回転子と同期した電力を発生する同期発電機となる。また反対に、外部から固定子に電源が与えられると固定子コイルではその電源により回転磁界を発生する。回転子が発生した回転磁界との電磁作用によって回転すれば外部に回転エネルギーを供給する電動機となる。上記のように、固定子と回転子の間で発生する電磁作用を利用した回転電機としては、誘導電動機、誘導発電機、直流電動機、直流発電機、同期電動機、同期発電機、同期調相機等がある。
【００３４】
図１は本発明の実施形態を示す図で、特に同期発電機または同期電動機の斜視図である。図２は回転電機の土台枠（台床またはベースともいう）を示す斜視図である。  
図１および図２で示すように、本実施形態による土台枠１８は、以下説明する部品１８ａから１８ｉによって構成されている。
【００３５】
すなわち、回転電機の固定子１９を両側から挟むように、ほぼコ字形に形成された一対の固定子設置板１８ａと、この一対の固定子設置板１８ａの真下に位置するように図示しない基礎上に設置され、互いに対向させるように配置された一対の基底板１８ｂと、これら固定子設置板１８ａおよび基底板１８ｂを接合する縦板１８ｃと、固定子設置板１８ａ、基底板１８ｂおよび縦板１８ｃ間を接合する複数枚の補強板１８ｄと、前記一対の固定子設置板１８ａの対向する両端部１８ａ１の間に配置されて固定子設置板１８ａの上面から寸法Ｇだけ低い高さとなるように設置された軸受設置板１８ｅと、前記一対の固定子設置板１８ａ、一対の基底板１８ｂおよび一対の軸受設置板１８ｅで形成した枠体の内部空間部１８ｆの下部を船底の形状に構成し、この船底状の内部空間部を下から覆う船底の形状をしたカバー１８ｇと、前記固定子設置板１８ａおよび基底板１８ｂの間を接合するとともに、軸受設置板１８ｅおよびカバー１８ｇ間を接合するほぼコ字形に形成された一対の側面板１８ｈと、前記固定子設置板１８ａの両端部１８ａ１間および軸受設置板１８ｅで形成した凹部を内部空間部１８ｆ側から閉塞する隔壁板１８ｉ、とから構成されている。
【００３６】
なお、以上の説明では、内部空間部１８ｆの下部は船底の形状であり、カバーも船底の形状であると説明したが、要するに内部空間部１８ｆは固定子１９の下半部の一部を収納できる形状であればよく、また、この内部空間部１８ｆに収納された固定子１９の下半部の一部を下から覆うカバーであれば、図１乃至４に記載の形状に拘る必要はない。
【００３７】
そして、これら固定子設置板１８ａ、基底板１８ｂ、縦板１８ｃ、補強板１８ｄ、軸受設置板１８ｅ、カバー１８ｇ、側面板１８ｈおよび隔壁板１８ｉの互いに接触する部分は、溶接等で強固に接合することによって土台枠１８全体の剛性を高めるようにしている。
なお、上記の説明では基底板１８ｂと軸受設置板１８ｅとを別の板で構成したが、可能であれば基底板１８ｂと軸受設置板１８ｅとを一枚の板で構成してもよい。
【００３８】
このように構成された土台枠１８の前記一対の固定子設置板１８ａの中間部分にはそれぞれ２個ずつ固定子座１０を設け、この固定子座１０に対して、固定子１９の両端の鉄心押さえ板２０に張り出す形状で設けた脚部２１の下面に固定された取付け座２２を載置し、固定子座１０および取付け座２２間をボルト・ナットで固定する。
【００３９】
そして、軸受設置板１８ｅの位置は前述したように、前記固定子設置板１８ａよりも寸法Ｇ分だけ低くなっており、その高さ寸法Ｇ分だけ低い一対の軸受設置板１８ｅに、それぞれ２個ずつ軸受座２３を設け、この軸受座２３に軸受１５を載置し、ボルト・ナット等で固定することによって回転電機の据付が完了する。この据付完了状態では、固定子１９の下半部の一部は土台枠１８の空間部１８ｆの中に収納される。
【００４０】
次に、図３および図４を参照して説明する。  
図３および図４はそれぞれ図１を回転軸方向および正面から見た図であるが、本実施形態の特徴点を明確にするために、固定子１９の固定子巻線５および回転子１３の磁極１２等を省略し、全体として簡略化して示している。
【００４１】
図３および図４に示すように、土台枠１８の固定子設置板１８ａから固定子１９の中心０−０までの垂直方向の距離Ｈを固定子１９の外周半径ｒよりも小さく（Ｈ＜ｒ）しており、特に破線で示すように固定子１９の一部が土台枠１８の固定子設置板１８ａよりも寸法Ｇ分だけ下方に位置している。したがって、従来の回転電機の寸法関係を示した図６に比べて、固定子１９の中心０−０は土台枠１８の固定子設置板１８ａにより近くなる。
【００４２】
次に、図３において固定子１９と回転子１３の間に吸引力Ｆが水平方向に働いた場合の固定子１９の支持剛性を考察する。  
固定子１９の中心０−０から土台枠１８の固定子設置板１８ａまでの垂直方向の距離がＨのとき、固定子にはＦ×Ｈの回転モーメントが発生し、そのモーメントにより固定子１９を変形させ変位を生じさせ、結果として、鉄心押さえ板２０の脚部２１に応力を発生させることになる。したがって、吸引力Ｆが同じであれば距離Ｈが小さいほど固定子１９を回そうとするモーメン卜は小さくできるので、距離Ｈが小さいほどその支持剛性は高い。
【００４３】
図６に示した従来の回転電機における土台枠９の上面から固定子６または回転子１４の中心０−０までの垂直方向の距離ｈに比べ、本実施形態による回転電機では距離Ｈを小さくできる（Ｈ＜ｈ）ので、その支持剛性はより高くなる。
【００４４】
また、本実施形態では回転軸１０の中心０−０から軸受座２３の下面までの垂直方向の距離はＩであり、吸引力Ｆが発生したときの回転モーメントは、Ｆ×Ｉである。これに対して図６に示した従来の回転電機の場合、回転モーメントはＦ×ｈ（Ｆ×Ｉ＜Ｆ×ｈ）であり、本実施形態による回転電機の方が支持剛性はより高くなる。
【００４５】
なお、以上の説明では軸受座２３の位置を寸法Ｇだけ低くしたが、この関係は必須ではなく、固定子１９の中心０−０から土台枠１８の固定子設置板１８ａまでの垂直方向の距離Ｈが、固定子１９の外周半径ｒよりも小（Ｈ＜ｒ）であれば、同様な効果を得ることができる。
【００４６】
したがって、回転子１４が発生する磁界により、固定子１９と回転子１４には互いに引き寄せあう力が発生した場合や、回転子１４の重量の不釣合いによって軸受１５を揺り動かす力が発生したときにも、固定子１９および回転軸１１の中心がずれる変位や振動は小さく、よって従来の回転電機に比べて回転電機の構成要素に過大な力が発生することはより小さくできる。
【００４７】
また、固定子鉄心１には適当な間隔で冷却のための通風ダクト４が設けられており、従来の回転電機と同様に回転子１４が回転することによって、羽根１７が空気を送風し、固定子１９の内側から外側へ向かって通風ダクト４を通って吐き出される。仮に土台枠１８の底面にカバー１８ｇを設けずに、固定子１９の下部が露出した状態を考えると、通風ダクト４から吐き出された冷却空気はそのまま開放空間へ拡散していく。しかし、回転電機の設置状態はその設置場所によって様々であり、固定子１９の下部の開放空間がどのような状態である力を回転電機の設計段階で予測することは不可能である。
【００４８】
このような場合、回転電機の設置状態によっては固定子１９の下部の冷却空気の通風抵抗が大きく変化し、設計時に想定した冷却風量とすることは困難であるが、本実施形態では、固定子１９の下部を覆う船底のような形状のカバー１８ｇを設けたことにより、回転電機がどのような場所に設置されても固定子１９の下部の状態は変わらないため、設計時に想定した冷却空気の風量とすることができる。
【００４９】
また、カバー１８ｇによって土台枠１８の底面を船底のように構成することで、土台枠１８自体の剛性を向上させ、さらに、固定子設置板１８ａと、ほぼコ字形に形成された側面板１８ｈと、軸受設置板１８ｅとで凹状の空間部と、枠体内部の空間部１８ｆとの間を垂直な隔壁１８ｉによって閉塞し、接合部を溶接するようにしたので、土台枠１８全体の剛性を高めることができ、固定子１９および回転軸１１の中心がずれる変位を一層小さくできる。さらに、軸受１５から潤滑油が漏洩した場合においても、隔壁１８ｉによって漏洩した潤滑油が固定子１９側へ流れることを防ぐことができ、漏洩した潤滑油が固定子巻線５に付着した場合の絶縁不良等の不具合の発生を回避することができる。
【符号の説明】
【００５０】
１…固定子鉄心、３…長ボルト、４…通風ダクト、５…固定子巻線、１０…固定子座、１１…回転軸、１２…回転子巻線、１３…磁極、１４…回転子、１５…軸受、１７…羽根、１８…土台枠、１８ａ…固定子設置板、１８ｂ基底板、１８ｃ…縦板、１８ｄ…補強板、１８ｅ…軸受設置板、１８ｆ…内部空間部、１８ｇ…カバー、１８ｈ…側面板、１８ｉ…隔壁板、１９…固定子、２０…鉄心押さえ板、２１…脚部、２２…取付け座、２３…軸受座。
【図１】
2011030304.tif 000003
【図２】
2011030304.tif 000004
【図３】
2011030304.tif 000005
【図４】
2011030304.tif 000006
【図５】
2011030304.tif 000007
【図６】
2011030304.tif 000008
【図７】
2011030304.tif 000009
【図８】
2011030304.tif 000010
【図９】
2011030304.tif 000011